(57)【要約】【課題】金属外装のカメラであっても、複数の無線アンテナを外観形状に影響を与る事無く、かつ電波特性的にも不利にならないように効率的に無線アンテナを配置し、さらに金属外装の強度低下を少なくすることができるカメラを提供する。【解決手段】外装が金属で構成され、ユーザーがグリップするための凸形状であるグリップ部を、少なくとも２つの無線アンテナを搭載したカメラにおいて、突起形状のグリップ部に前記２つの無線アンテナを略垂直に、かつお互いの配置面を遮らないように配置し、前記２つの無線アンテナの配置面が略直交する稜線部に開口を設けた事を特徴とする。【選択図】  図４
2015186056.tif 000002
【特許請求の範囲】
【請求項１】
把持するための突起形状のグリップ部（１ａ）を含む外装が金属で構成され、
前記グリップ部（１ａ）に少なくとも周波数が異なる２つの無線アンテナ（１２０、１２１）を搭載した撮像装置（１）において、
前記突起形状のグリップ部（１ａ）に前記２つの無線アンテナを垂直に、
かつお互いの配置面を遮らないように配置し、
前記２つの無線アンテナの配置面（１ｇ、１ｈ）が直交する稜線部に開口（１ｊ）を設けたことを特徴とする撮像装置。
【請求項２】
２つの無線アンテナの配置面（１ｇ、１ｈ）が直交する稜線部の開口（１ｊ）に前記二つの無線アンテナをカメラ内部の回路に接続するためのフレキシブルプリント基板を通すことを特徴とする請求項１に記載の撮像装置。
【請求項３】
前記グリップ部（１ａ）配置した周波数が異なる２つの無線アンテナ（１２０、１２１）の内、第１の無線アンテナを撮影光軸と直交する面（１ｇ）に配置し、第２の無線アンテナを撮影光軸と平行で突起形状のグリップに連なる平面部（１ｈ）に配置を搭載したことを特徴とする請求項１又は請求項２に記載の撮像装置。
【請求項４】
第１の無線アンテナは、無線ＬＡＮ用の無線アンテナであり、第２の無線アンテナは短距離無線通信用アンテナであることを特徴とする請求項３に記載の撮像装置。
【請求項５】
少なくとも２つの無線アンテナは、周波数帯が同じでない、もしくは倍数ではないことを特徴とする請求項１乃至請求項４の何れか一項に記載の撮像装置。
【請求項６】
把持するための突起形状のグリップ部は横位置撮影用のグリップ部（１ａ）であることを特徴とする請求項１乃至請求項５の何れか一項に記載の撮像装置。
【請求項７】
把持するための突起形状のグリップ部は縦位置撮影用のグリップ部（１ｃ）であることを特徴とする請求項１乃至請求項５の何れか一項に記載の撮像装置。
【発明の詳細な説明】
【技術分野】
【０００１】
本発明は、撮像装置としてのカメラにおいて他の機器と無線通信を行う際に用いる無線アンテナを内蔵した撮像装置（以下、カメラと記載）に関する。
【背景技術】
【０００２】
近年、カメラと他の機器との間で無線通信を行うものが知られている。カメラ本体と他のアクセサリー間での情報の通信や、カメラで撮像した画像信号を例えば、コンピュータなどの外部装置や、他のカメラとの間で無線通信により送受信する無線通信手段を有しているものがある。
【０００３】
このような無線通信手段としては、各種規格に準拠した無線接続手段やＧＰＳ受信ユニットといった無線通信手段を具備するカメラも知られており、それらのカメラにおいては、筐体内に無線通信ユニットや無線アンテナ等が配置されることになるが、その内部配置に関しては、特許文献１や特許文献２によって種々の提案が開示されている。
【０００４】
また、無線接続手段でも短距離無線通信（ＮＦＣ）や無線接続（ＢｌｕｅＴｏｏｔｈ(登録商標）やＷｉＦｉ）、さらにはＧＰＳなど複数の無線アンテナを内蔵することで、さらに便利な使い勝手を提供する製品も増えている。
【０００５】
一方、近年のカメラは、カメラの外装部材として金属材料を採用することが多くなっている。金属材料を外装部材とすることで、高級感や強度を得られる等の利点がある。
【先行技術文献】
【特許文献】
【０００６】
【特許文献１】特開２０１１−１１４７７１号公報
【特許文献２】特開２００１−３３３３０７号公報
【発明の概要】
【発明が解決しようとする課題】
【０００７】
しかしながら、上記特許文献１によって開示されている支持部に無線アンテナを搭載した場合に、一眼レフカメラでは交換レンズが邪魔で相手側電子機器の通信面にカメラを正対して接触させる事が出来ない。例え、交換レンズを外した状態であっても、交換レンズのマウントと支持部（グリップ部）の高さを同じにする必要があり、デザイン上の制約になってしまう。
【０００８】
また、カメラの外装部材として金属材料を適用する場合、電波等は外装部材を透過することがないので、カメラの筐体の強度をあげるために使用するには問題ないが、筐体内部の無線アンテナに無線通信のための電波を伝搬させることができないという問題があり、上記開示のカメラでは金属外装にすることが出来ない。
【０００９】
また、上記特許文献２によって開示されている手段を金属外装のデジタルカメラでは、ケース本体は金属で構成されているが、グリップ部を合成樹脂性のグリップとしてその内部に前記通信機能のアンテナを設けているが、周波数が異なる複数のアンテナを配置する事には言及していないし、同じ面に複数のアンテナを配置した場合には、お互いの電波を妨害して所望の性能を出すことが出来ない。
【００１０】
本発明は、上述した点に鑑みてなされたものであって、他の機器と無線通信を行う際に用いる無線アンテナを複数搭載したカメラにおいて、金属外装のカメラであっても、カメラの外観デザインを損なうことなく、電波特性的にも不利にならないように効率的に無線アンテナを配置し、金属外装の開口を最小限に抑える事が出来るので、強度低下の少ないカメラを提供する事である。
【課題を解決するための手段】
【００１１】
上記目的を達成するために、本発明によるカメラは、把持するための突起形状のグリップ部（１ａ）を含む外装が金属で構成され、前記グリップ部（１ａ）に少なくとも周波数が異なる２つの無線アンテナ（１２０、１２１）を搭載したカメラ（１）において、
前記突起形状のグリップ部（１ａ）に前記２つの無線アンテナを略垂直に、かつお互いの配置面を横切らないように配置し、前記２つの無線アンテナの配置面（１ｇ、１ｈ）が略直交する稜線部に開口（１ｊ）を設けた事を特徴とする。
【発明の効果】
【００１２】
本発明によれば、他の機器と無線通信を行う際に用いる無線アンテナを複数搭載したカメラにおいて、金属外装の撮像装置であっても、撮像装置の外観デザインを損なうことなく、電波特性的にも不利にならないように効率的に無線アンテナを配置し、金属外装の開口を最小限に抑える事が出来る。
【図面の簡単な説明】
【００１３】
【図１】本実施の形態に係る一眼レフカメラの前面斜視図
【図２】本実施の形態に係る一眼レフカメラの背面斜視図
【図３】本実施の形態に係る一眼レフカメラのブロック図
【図４】第１の実施の形態に係る一眼レフカメラのアンテナ構成部の部分分解斜視図
【図５】第１の実施の形態に係る一眼レフカメラのアンテナ構成部の部分正面図
【図６】第１の実施の形態に係る一眼レフカメラのアンテナ構成部の部分断面図
【図７】第２の実施の形態に係る一眼レフカメラのアンテナ構成部の部分分解斜視図
【図８】第２の実施の形態に係る一眼レフカメラのアンテナ構成部の部分正面図
【図９】第２の実施の形態に係る一眼レフカメラのアンテナ構成部の部分断面図
【発明を実施するための形態】
【００１４】
以下に、本発明の好ましい実施の形態を、添付の図面に基づいて詳細に説明する。
【実施例１】
【００１５】
図１、図２は本実施の形態に係る一眼レフカメラの外観を示す図である。具体的には、図１はカメラ前面側より見た斜視図であって、撮影レンズユニットを外した状態を示し、図２はカメラ背面側より見た斜視図である。
【００１６】
図１において、１はカメラ本体でありマグネシウム合金などの金属材料でその外装を構成している。横位置撮影時に使用者がカメラを安定して握り易いように前方に突出した横位置用グリップ部１ａが設けられている。また、縦位置撮影時に使用者がカメラを安定して握り易いように前方に突出した縦位置用グリップ部１ｂが設けられている。
【００１７】
２はマウント部であり、着脱可能な撮影レンズユニット（不図示）をカメラ本体に固定させる。マウント接点２１は、カメラ本体と撮影レンズユニットとの間で制御信号、状態信号、データ信号などを介在すると共に、撮影レンズユニット側に電力を供給する機能を有する。また、マウント接点２１は電気通信のみならず、光通信、音声通信などを可能なように構成してもよい。
【００１８】
４は撮影レンズユニットを取り外す際に押し込むレンズロック解除釦である。５はカメラ筐体内に配置されたミラーボックスで、撮影レンズを通過した撮影光束はここへ導かれる。ミラーボックス５の内部には、クイックリターンミラー６が配設されている。クイックリターンミラー６は、撮影光束をペンタプリズム２２（図３を参照）の方向へ導くために撮影光軸に対して４５°の角度に保持される状態（６ａ）と、撮像素子３３（図３を参照）の方向へ導くために撮影光束から退避した位置に保持される状態（６ｂ）とを取り得る。
【００１９】
カメラ上部のグリップ側には、撮影開始の起動スイッチとしての横位置用のシャッタボタン７が配置されており、シャッタボタン７は、第１ストロークでＳＷ１（後述の７ａ）がＯＮし、第２ストロークにてＳＷ２（後述の７ｂ）がＯＮする構成となっている。
【００２０】
カメラのグリップ部の下部には、撮影開始の起動スイッチとしての縦位置用のシャッタボタン１６が配置されており、シャッタボタン１６は、第１ストロークでＳＷ１（後述の１６ａ）がＯＮし、第２ストロークにてＳＷ２（後述の１６ｂ）がＯＮする構成となっている。
【００２１】
シャッタボタン７の後方には、各種モードに応じてシャッタスピードなどの設定を行うめのメイン操作ダイヤル８と、各種設定を行うためのＭＥＮＵモードを呼び出すためのＭＥＮＵ釦１０があり、メイン操作ダイヤル８や後述するサブ操作ダイヤル２０によって設定された内容を外部液晶表示装置９やカラー液晶モニタ１９に表示するようになっている。
【００２２】
カメラ上部中央には、カメラ本体に対して外部フラッシュなどのアクセサリーを着脱可能とするアクセサリーシュー１２と中央部にシンクロ接点１１ａ（金属部品）を保持し樹脂で形成されたアクセサリーシューベース１１が配置されている。
【００２３】
グリップに対して反対側の側面には、開閉可能な外部端子蓋１ｃがあり、外部端子蓋１ｃを開けた内部には、外部インタフェース４０としてＨＤＭＩ(登録商標）出力用端子やＵＳＢ出力用コネクタなどが納められている。
【００２４】
外部インタフェースの下部には電源となる電池４２が配置されている。４２ａは電池を取り出すためのつまみである。
【００２５】
図２において、カメラ背面の上方には樹脂で形成されたアイピースカバー２６があり、中央部には、被写体像を観察するためのファインダーの接眼レンズ１８が設けられている。接眼レンズ１８の下には、画像表示可能なカラー液晶モニタ１９が設けられている。カラー液晶モニタ１９の横に配置されたサブ操作ダイヤル２０は、メイン操作ダイヤル８の機能の補助的役割を担う。また、このサブ操作ダイヤル２０は、カラー液晶モニタ１９に表示される撮影済み画像の表示選択にも用いられる。４３はカメラの電源を入れたり切ったりするためのメインスイッチである。５０は画像された画像を再生させる再生釦。１５はカラー液晶モニタ１９に表示させた画像を消去する消去釦。５１は、オートフォーカスを開始させるためのＡＦスタート釦であり、横位置用ＡＦスタート釦５１ａと縦位置用ＡＦスタート釦５１ｂがそれぞれ配置している。５２は、測光した測光値を一時的保持するためのＡＥロック釦であり、横位置用ＡＥロック釦５２ａと縦位置用ＡＥロック釦５２ｂがそれぞれ配置している。
【００２６】
５３はＭＥＮＵ釦とメイン操作ダイヤル８、サブ操作ダイヤル２０で選択される設定を確定させたり、無線で送信する際にサブ操作ダイヤル２０で選択した画像に対して実行を行うなど、各種決定を行うＳＥＴ釦である。
【００２７】
１ｄは、外観の一部を構成していて、後述する着脱可能なメモリ３９を収納する収納部のメディアカバー。２２は、メディアカバー１ｄを開けるための操作つまみである。
【００２８】
図３は、第１の実施の形態に係る一眼レフカメラの主要な電気的構成を示すブロック図である。なお、前述の図面と共通する部分は同じ記号で示している。
【００２９】
１００はカメラ本体に内蔵されたマイクロコンピュータの中央処理装置（以下、ＭＰＵという）である。ＭＰＵ１００は、カメラの動作制御を司るものであり、各要素に対して様々な処理や指示を実行する。
【００３０】
１００ａはＭＰＵ１００に内蔵されたＥＥＰＲＯＭであり、各種情報を記憶可能である。
ＭＰＵ１００には、ミラー駆動回路１０１、焦点検出回路１０２、シャッタ駆動回路１０３、映像信号処理回路１０４、スイッチセンス回路１０５、測光回路１０６、が接続されている。また、ＬＣＤ駆動回路１０７、バッテリチェック回路１０８、電源供給回路１１０、についても接続されている。これらの回路はＭＰＵの制御により動作するものである。
【００３１】
また、ＭＰＵ１００は、撮影レンズユニット内に配置されたレンズ制御回路８１と、マウント接点２１を介して通信を行う。マウント接点２１は撮影レンズユニットが接続されるとＭＰＵ１００へ信号を送信する機能も備えている。これにより、レンズ制御回路８１は、ＭＰＵ１００との間で通信を行い、撮影レンズユニット内の撮影レンズ８０および絞り８４の駆動を、ＡＦ駆動回路８２および絞り駆動回路８３を介して行うことが可能となる。
【００３２】
なお、本実施の形態では便宜上１枚の撮影レンズで示しているが、実際は多数のレンズ群により構成されている。
【００３３】
ＡＦ駆動回路８２は、たとえばステッピングモータによって構成され、レンズ制御回路８１の制御によって撮影レンズ８０内のフォーカスレンズ位置を変化させることにより、撮像素子３３に撮影光束の焦点を合わせるように調整する。８３は絞り駆動回路であり、たとえばオートアイリスなどによって構成され、レンズ制御回路８１によって絞り８４を変化させ、光学的な絞り値を得るように構成されている。
【００３４】
クイックリターンミラー６は、撮影レンズ８０を通過する撮影光束をペンタプリズム２３へ導くとともに、その一部を透過させてサブミラー３０に導く。サブミラー３０は、透過された撮影光束を焦点検出用センサユニット３１へ導く。
【００３５】
ミラー駆動回路１０１は、クイックリターンミラー６を、ファインダにより被写体像を観察可能とする位置（６ａ）と、撮影光束から待避する位置（６ｂ）とへ駆動するためのものである。同時に、サブミラー３０を、焦点検出用センサユニット３１へ撮影光束を導く位置と、撮影光束から待避する位置とへ駆動する。具体的には、たとえばＤＣモータとギヤトレインなどから構成される。
【００３６】
３１は不図示である結像面近傍に配置されたフィールドレンズ、反射ミラー及び、２次結像レンズ、絞り、複数のＣＣＤから成るラインセンサ等から構成されている周知の位相差方式の焦点検出センサユニットである。焦点検出センサユニット３１から出力された信号は、焦点検出回路１０２へ供給され、被写体像信号に換算された後ＭＰＵ１００へ送信される。ＭＰＵ１００は被写体像信号に基づいて、位相差検出法による焦点検出演算を行う。そして、デフォーカス量およびデフォーカス方向を求め、これに基づき、レンズ制御回路８１およびＡＦ駆動回路８２を介して、撮影レンズ８０内のフォーカスレンズを合焦位置まで駆動する。
【００３７】
２３はペンタプリズムであり、クイックリターンミラー６によって反射された撮影光束を正立正像に変換反射する光学部材である。使用者は、接眼レンズ群１８を介して、ペンタプリズム２３で正立正像に変換された被写体像を観察することができる。
【００３８】
ペンタプリズム２３は、撮影光束の一部を測光センサ４４にも導く。測光回路１０６は、測光センサ４４の出力を得て、観察面上の各エリアの輝度信号に変換し、ＭＰＵ１００に出力する。ＭＰＵ１００は、得られる輝度信号から露出値を算出する。
【００３９】
３２は機械式フォーカルプレーンシャッタであり、ユーザがファインダにより被写体像を観察している時には撮影光束を遮る。また撮像時にはレリーズ信号に応じて、不図示の先羽根群と後羽根群の走行する時間差により所望の露光時間を得るように構成されている。フォーカルプレーンシャッタ３２は、ＭＰＵ１００の指令を受けたシャッタ駆動回路１０３によって制御される。
【００４０】
３３は撮像素子で、撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
【００４１】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００４２】
１０４は映像信号処理回路であり、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１０９を介してカラー液晶モニタ１９に表示される。
【００４３】
また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像デーを順次読み出すことも可能である。これにより映像信号処理回路１０４は、Ａ／Ｄ変換器３６から入力されてくる画像データの速度に関わらず、画像処理や圧縮処理を順次行うことが可能となる。
【００４４】
メモリコントローラ３８は、外部インタフェース４０（不図示で公知のＨＤＭＩ出力用端子やＵＳＢコネクタなど）から入力される画像データをメモリ３９に記憶することや、メモリ３９に記憶されている画像データを外部インタフェース４０から出力する機能についても有する。なお、メモリ３９は、カメラ本体に対して着脱可能なフラッシュメモリなどである。
【００４５】
１０５はスイッチセンス回路であり、各スイッチの操作状態に応じて入力信号をＭＰＵ１００に送信する。７ａは、横位置用のレリーズボタン７の第１ストロークによりオンするスイッチＳＷ１である。７ｂは、レリーズボタン７の第２ストロークによりオンするスイッチＳＷ２である。スイッチＳＷ２がオンされると、撮影開始の指示がＭＰＵ１００に送信される。１６ａは、縦位置用のレリーズボタン１６の第１ストロークによりオンするスイッチＳＷ１である。１６ｂは、縦位置用レリーズボタン１６の第２ストロークによりオンするスイッチＳＷ２である。スイッチＳＷ２がオンされると、撮影開始の指示がＭＰＵ１００に送信される。
【００４６】
さらには、メイン操作ダイヤル８、サブ操作ダイヤル２０、ＭＥＮＵ釦１０、再生釦５０、消去釦５１、横位置用ＡＦスタート釦５２ａ、縦位置用ＡＦスタート釦５１ｂ、横位置用ＡＥロック釦５２ａ、縦位置用ＡＥロック釦５２ｂ、メインスイッチ４３なども接続されている。
【００４７】
１０７はＬＣＤ駆動回路であり、ＭＰＵ１００の指示に従って、外部液晶表示装置９やファインダ内液晶表示装置４１を駆動する。
【００４８】
１０８はバッテリチェック回路であり、ＭＰＵ１００からの信号に従って、所定時間バッテリチェックを行い、その検出出力をＭＰＵ１００へ送る。４２は電源部であり、カメラの各要素に対して、必要な電源を供給する。
【００４９】
１１５はアクセサリーシュー１２、アクセサリーシューベース１１、アクセサリーシュースプリング１３、などで構成されている構成されている外部ストロボＩＦ装置。ここには、ストロボ以にもアクセサリーシュー１２に嵌るアクセサリーであればストロボ以外のアクセサリーも装着可能である。
【００５０】
１２０は画像データなどを無線通信によって外部の機器と送受信する際の無線通信手段としてのＷｉＦｉ（無線ＬＡＮ）モジュールであり、制御回路１２０ａを介してＭＰＵ１００と接続されている。１２１はＮＦＣなどの短距離無線通信用アンテナであり、外部機器との通信を行うことで、ＷｉＦｉモジュール１２０の環境設定などを手軽に行う事が出来る。これら二つの無線アンテナは、ＷｉＦｉとＮＦＣに限ったものではない。
【００５１】
周波数帯が略同じではない、もしくは略倍数でないアンテナが選ばれる。これはお互いのアンテナの電波が干渉しないようにするためである。
【００５２】
図４から図６を用いて、本発明の第１の実施例を説明する。
【００５３】
図４は、第１の実施の形態に係る一眼レフカメラのアンテナ構成部の部分分解斜視図である。図４はカメラ本体１の横位置用のグリップ１ａ部分を上方から表している。
【００５４】
カメラ本体１の横位置用グリップ部１ａはその最外周部にはラバー素材で形成された横位置グリップラバー１ｅがあり、その内側で金属材料（例えばマグネシウム合金など）で筐体として構成された横位置用グリップ１ｆと２重構造となっている。横位置用グリップラバー１ｅは不図示の両面テープで横位置用グリップ１ｆに接着固定される。１ｇはＷｉＦｉモジュール１２０が配置されるＡ平面で光軸と略直交した面であり、１ｈはＮＦＣアンテナが配置されるＢ平面であり、光軸と略平行な面である。すなわちＡ平面１ｇとＢ平面１ｈは略直交する関係にある。１ｊはＡ平面１ｇとＢ平面１ｈの交差する稜線部に設けた開口（空間）であり、Ａ平面１ｇとＢ平面１ｈに配置される無線アンテナの電波が金属外装によって妨害されないようにしていると共に、後述するフレキシブルプリント基板を通す役割を持つ。１２０はＷｉＦｉ（無線ＬＡＮ）モジュールであり、ＷｉＦｉアンテナ１２０ａ、制御回路１２０ｂ、ＷｉＦｉ用フレキシブルプリント基板コネクター１２０ｃがＷｉＦｉ基板１２０ｄの上に実装されている。
【００５５】
１２０ｅはＷｉＦｉ用フレキシブルプリント基板コネクター１２０ｃとＭＰＵ１００をつなぐためのフレキシブルプリント基板であり、開口１ｊを通してＷｉＦｉモジュール１２０と接続される。１２２はＷｉＦｉモジュール１２０をＡ平面１ｇに固定するためのＷｉＦｉモジュール固定ビスである。１２１はＮＦＣアンテナであり、ＮＦＣ用フレキシブルプリント基板１２１ａと一体的に構成されている。１２１はＮＦＣアンテナは不図示の両面テープによって、Ｂ平面１ｈに接着固定される。ＮＦＣ用フレキシブルプリント基板１２１ａの一端は開口１ｊを通してＭＰＵ１００と接続されている。１７は樹脂で形成された内蓋であり、内蓋固定ビス１２３で横位置用グリップ１ｆに固定される。
【００５６】
図５は、図４の内蓋１７と内蓋固定ビス１２３を除いて組立状態の横位置グリップの正面図である。前述の図面と共通する部分は同じ記号で示している。
【００５７】
１ｋはＡ平面１ｇに設けられたＷｉＦｉモジュール１２０の位置決めボス。１２０ｆはＷｉＦｉモジュール１２０の位置決め穴であり、１ｋの位置決めボスと１２０ｆの位置決め穴とが嵌合するようになっている。１ｍは、内蓋１７の位置決め穴で、内蓋１７の裏面にある不図示の位置決めボスと嵌合する事で内蓋の位置決めを行う。１ｎは内蓋１７の固定するビス穴であり、内蓋固定ビス１２３の内の２本がビス締めされる。
【００５８】
図６は、図５中のＡＡ−ＡＡで示された断面を示している。
【００５９】
図４、図５で説明したとおり、ＷｉＦｉモジュール１２０が固定されているＡ平面１ｇとＮＦＣアンテナ１２１が固定されているＢ平面１ｈが略直交しその稜線部に開口（図中にてハッチング部）１ｊを設けている。
【００６０】
ＷｉＦｉモジュール１２０は、Ａ平面１ｇとＢ平面１ｈを延長した稜線からＸ（少なくともＸ＞０）離れて配置するように設定することで、ＷｉＦｉモジュール１２０がＢ平面１ｈを越えることなく配置しているので、ＮＦＣアンテナ１２１の電波を遮る事はない。
【００６１】
ＮＦＣアンテナ１２１は、Ａ平面１ｇとＢ平面１ｈを延長した稜線からＹ（少なくともＹ＞０）離れて配置するように設定することで、ＮＦＣアンテナ１２１がＡ平面１ｇを越えることなく配置しているので、ＷｉＦｉモジュール１２０の電波を遮る事はない。
【実施例２】
【００６２】
以下、図７を参照して、本発明の第２の実施例を説明する。
【００６３】
図７は、第２の実施の形態に係る一眼レフカメラのアンテナ構成部の部分分解斜視図である。図７はカメラ本体１の縦位置用のグリップ１ｂ部分を下方から表している。
【００６４】
今まで説明した中で、同一部品に関しては同一番号を付している。
【００６５】
カメラ本体１の縦位置用グリップ部１ｂはその最外周部にはラバー素材で形成された縦位置グリップラバー１ｓがあり、その内側で金属材料（例えばマグネシウム合金など）で筐体として構成された縦位置用グリップ１ｔと二重構造となっている。縦位置用グリップラバー１ｓは不図示の両面テープで縦位置用グリップ１ｔに接着固定される。１ｏはＷｉＦｉモジュール１２０が配置されるＣ平面であり光軸と略直交した面であり、１ｐはＮＦＣアンテナが配置されるＤ平面であり、光軸と略平行な面である。すなわちＣ平面１ｏとＤ平面１ｐは略直交する関係にある。１ｑはＣ平面１ｏとＤ平面１ｐの交差する稜線部に設けた開口（空間）であり、Ｃ平面１ｏとＤ平面１ｐに配置される無線アンテナの電波が金属外装によって妨害されないようにしていると共に、後述するフレキシブルプリント基板を通す役割を持つ。１２０はＷｉＦｉ（無線ＬＡＮ）のモジュールであり、ＷｉＦｉアンテナ１２０ａ、制御回路１２０ｂ、ＷｉＦｉ用フレキシブルプリント基板コネクター１２０ｃがＷｉＦｉ基板１２０ｄの上に実装されている。
【００６６】
１２０ｇはＷｉＦｉ用フレキシブルプリント基板コネクター１２０ｃとＭＰＵ１００をつなぐためのフレキシブルプリント基板であり、開口１ｑを通してＷｉＦｉモジュール１２０と接続される。１２２はＷｉＦｉモジュール１２０をＣ平面１ｏに固定するためのＷｉＦｉモジュール固定ビスである。１２１はＮＦＣアンテナであり、ＮＦＣ用フレキシブルプリント基板１２１ａと一体的に構成されている。１２１はＮＦＣアンテナは不図示の両面テープによって、Ｄ平面１ｐに接着固定される。ＮＦＣ用フレキシブルプリント基板１２１ａの一端は開口１ｑを通してＭＰＵ１００と接続されている。１２４は樹脂で形成された内蓋であり、内蓋固定ビス１２５でカメラ正面から、内蓋固定ビス１２６でカメラ下面から縦位置用グリップ１ｔに固定される。
【００６７】
図８は、図７の内蓋１２４と内蓋固定ビス１２５、１２６を除いて組立状態の縦位置グリップ部１ｂの正面図である。前述の図面と共通する部分は同じ記号で示している。
【００６８】
１ｒはＣ平面１ｏに設けられたＷｉＦｉモジュール１２０の位置決めボス。１２０ｆはＷｉＦｉモジュール１２０の位置決め穴であり、１ｒの位置決めボスと１２０ｆの位置決め穴とが嵌合するようになっている。１ｕは内蓋１２４の固定するビス穴であり、内蓋固定ビス１２５がビス締めされる。
【００６９】
図９は、図８中のＢＢ−ＢＢで示された断面を示している。
【００７０】
図７、図８で説明したとおり、ＷｉＦｉモジュール１２０が固定されているＣ平面１ｏとＮＦＣアンテナ１２１が固定されているＤ平面１ｐが略直交する稜線部に開口（図中ハッチング部）１ｑを設けている。
【００７１】
ＷｉＦｉモジュール１２０は、Ｃ平面１ｏとＤ平面１ｐを延長した稜線からＸ２（少なくともＸ２＞０）離れて配置するように設定することで、ＷｉＦｉモジュール１２０がＤ平面１ｐを越えることなく配置しているので、ＮＦＣアンテナ１２１の電波を遮る事はない。
【００７２】
ＮＦＣアンテナ１２１は、Ｃ平面１ｏとＤ平面１ｐを延長した稜線からＹ２（少なくともＹ２＞０）離れて配置するように設定することで、ＮＦＣアンテナ１２１がＣ平面１ｏを越えることなく配置しているので、ＷｉＦｉモジュール１２０の電波を遮る事はない。
【００７３】
以上、本発明の好ましい実施形態について説明したが、本発明はこれらの実施形態に限定されず、その要旨の範囲内で種々の変形及び変更が可能である。
【符号の説明】
【００７４】
１：カメラ、１ａ：横位置グリップ部、１ｂ：縦位置グリップ部、１ｇ：Ａ平面、１ｈ：Ｂ平面、１７：内蓋、１２０：ＷｉＦｉモジュール、１２１：ＮＦＣアンテナ
【図１】
2015186056.tif 000003
【図２】
2015186056.tif 000004
【図３】
2015186056.tif 000005
【図４】
2015186056.tif 000006
【図５】
2015186056.tif 000007
【図６】
2015186056.tif 000008
【図７】
2015186056.tif 000009
【図８】
2015186056.tif 000010
【図９】
2015186056.tif 000011